(57)【要約】      （修正有）【課題】高表示品質及び高信頼性を有する表示パネルを提供する。【解決手段】表示パネルにおける遮光層１４は、第１基板の第１エッジに近い第１開口Ｏ１と、第１開口に隣設する第２開口Ｏ２とを有する。第１の色ブロック１５及び第２の色ブロック１６は、第１方向に沿って遮光層１４上に配置され、第１の色ブロック１５は、第１開口Ｏ１に埋め込まれ、遮光層１４の一部と重なり、遮光層１４上に第１エッジに最も近い第１重畳部を有し、第２の色ブロック１６は、第２開口Ｏ２に埋め込まれ、遮光層１４の一部と重なり、遮光層１４上に第１エッジに最も近い第２重畳部を有し、第１重畳部と第２重畳部の面積とが互いに異なる。【選択図】図１Ｆ
0003200298.tif 000002
【実用新案登録請求の範囲】
【請求項１】
表示パネルであって、第１基板と、当該第１基板上に配置される遮光層と、第１の色ブロックと、当該第１の色ブロックに隣設する第２の色ブロックと、第２基板と、前記第１基板と前記第２基板との間に挟持される表示媒体層と、を含み、
前記遮光層は、前記第１基板の第１エッジに近い第１開口と、当該第１開口に隣設する第２開口とを有し、
前記第１の色ブロック及び前記第２の色ブロックは、第１方向に沿って前記遮光層上に配置され、
前記第１の色ブロックは、前記第１開口に埋め込まれ、前記遮光層の一部と重なり、前記遮光層上に前記第１エッジに最も近い第１重畳部を有し、
前記第２の色ブロックは、前記第２開口に埋め込まれ、前記遮光層の一部と重なり、前記遮光層上に前記第１エッジに最も近い第２重畳部を有し、
前記第１重畳部と前記第２重畳部の面積とが互いに異なることを特徴とする表示パネル。
【請求項２】
前記第１方向において、前記第１重畳部と前記第１エッジとの間に第１最短距離を有し、前記第２重畳部と前記第１エッジとの間に第２最短距離を有し、前記第１最短距離と前記第２最短距離とが互いに異なることを特徴とする請求項１に記載の表示パネル。
【請求項３】
前記第１の色ブロックと前記第２の色ブロックの色とが互いに異なることを特徴とする請求項１に記載の表示パネル。
【請求項４】
前記第１重畳部の厚さが前記第１開口に位置する前記第１の色ブロックの厚さより薄いことを特徴とする請求項１に記載の表示パネル。
【請求項５】
前記第１重畳部と前記第１開口の面積の比が０．３〜１．２であることを特徴とする請求項１に記載の表示パネル。
【請求項６】
前記遮光層は、前記第１方向に沿って前記第１エッジから離れた第３開口をさらに有し、
前記第１の色ブロックは、前記第３開口に埋め込まれるように延び、
前記第３開口の面積が前記第１開口の面積より大きいことを特徴とする請求項１に記載の表示パネル。
【請求項７】
前記第１の色ブロックは、前記遮光層と重なる第３重畳部をさらに有し、
前記第２の色ブロックは、前記遮光層と重なる第４重畳部をさらに有し、
前記第１重畳部は、前記第３重畳部と前記第１エッジとの間に位置し、
前記第２重畳部は、前記第４重畳部と前記第１エッジとの間に位置し、
前記第３重畳部と前記第４重畳部とにまたがって設けられるスペーサをさらに含み、
前記スペーサが前記第３重畳部に重畳する面積と、前記スペーサが前記第４重畳部に重畳する面積とが互いに異なることを特徴とする請求項１に記載の表示パネル。
【請求項８】
前記第１方向に沿って前記遮光層上に配置され、前記第１エッジに接続される第２エッジに最も近い第３の色ブロックをさらに含み、
前記遮光層は、前記第１方向に沿って前記第１エッジから離れた第３開口をさらに有し、
前記第２エッジは、前記第１方向に実質的に垂直な第２方向において、前記第１開口に対応する前記第３の色ブロックの一部との間に第３最短距離を有し、前記第３開口に対応する前記第３の色ブロックの一部との間に第４最短距離を有し、
前記第３最短距離と前記第４最短距離とが互いに異なることを特徴とする請求項１に記載の表示パネル。
【請求項９】
前記第１重畳部と前記第２重畳部が凹部を形成するように互いに接続され、
前記第１方向において前記凹部と前記第１エッジとの間に第１最長距離を有し、
前記第１の色ブロック又は前記第２の色ブロックと、前記第１エッジとの間に第５最短距離を有し、
前記第１最長距離と前記第５最短距離との差と、前記第１開口の長さとの比が、０．０５〜０．５であることを特徴とする請求項１に記載の表示パネル。
【請求項１０】
表示パネルであって、第１基板と、当該第１基板上に配置される遮光層と、第１の色ブロックと、当該第１の色ブロックに隣設する第２の色ブロックと、第３の色ブロックと、第２基板と、前記第１基板と前記第２基板との間に挟持される表示媒体層と、を含み、
前記遮光層は、前記第１基板の第１エッジに最も近い第１開口と、当該第１開口に隣設する第２開口と、第１方向に沿って前記第１エッジから離れた第３開口とを有し、
前記第１の色ブロック及び前記第２の色ブロックは、第１方向に沿って前記遮光層上に配置され、前記第１の色ブロックは、前記第１開口及び前記第３開口に埋め込まれ、前記遮光層の一部と重なり、前記第２の色ブロックは、前記第２開口に埋め込まれ、前記遮光層の一部と重なり、
前記第３の色ブロックは、前記第１エッジに接続される第２エッジに最も近く配置され、前記第１方向に沿って前記遮光層上に配置され、
前記第１方向に実質的に垂直な第２方向において、前記第１開口に対応する前記第３の色ブロックの一部と前記第２エッジとの間の最短距離と、前記第３開口に対応する前記第３の色ブロックの一部と前記第２エッジとの間の最短距離とが互いに異なることを特徴とする表示パネル。
【請求項１１】
表示パネルであって、第１基板と、当該第１基板上に配置される遮光層と、第１の色ブロックと、当該第１の色ブロックに隣設する第２の色ブロックと、第２基板と、前記第１基板と前記第２基板との間に挟持される表示媒体層と、を含み、
前記遮光層は、前記第１基板の第１エッジに近い第１開口と、当該第１開口に隣設する第２開口とを有し、
前記第１の色ブロック及び前記第２の色ブロックは、第１方向に沿って前記遮光層上に配置され、
前記第１の色ブロックは、前記第１開口に埋め込まれ、前記遮光層の一部と重なり、前記遮光層上に前記第１エッジに最も近い第１重畳部を有し、
前記第２の色ブロックは、前記第２開口に埋め込まれ、前記遮光層の一部と重なり、前記遮光層上に前記第１エッジに最も近い第２重畳部を有し、
前記第１重畳部と前記第１エッジとの間に第１最短距離を有し、前記第２重畳部と前記第１エッジとの間に第２最短距離を有し、前記第１最短距離と前記第２最短距離とが互いに異なることを特徴とする表示パネル。
【請求項１２】
前記第１の色ブロックと前記第２の色ブロックの色とが互いに異なることを特徴とする請求項１１に記載の表示パネル。
【請求項１３】
前記第１重畳部の厚さが前記第１開口に位置する前記第１の色ブロックの厚さより薄いことを特徴とする請求項１１に記載の表示パネル。
【請求項１４】
前記遮光層は、前記第１方向に沿って前記第１エッジから離れた第３開口をさらに有し、
前記第１の色ブロックは、前記第３開口に埋め込まれるように延び、
前記第３開口の面積が前記第１開口の面積より大きいことを特徴とする請求項１１に記載の表示パネル。
【請求項１５】
前記第１の色ブロックは、前記遮光層と重なる第３重畳部をさらに有し、
前記第２の色ブロックは、前記遮光層と重なる第４重畳部をさらに有し、
前記第１重畳部は、前記第３重畳部と前記第１エッジとの間に位置し、
前記第２重畳部は、前記第４重畳部と前記第１エッジとの間に位置し、
前記表示パネルは、前記第３重畳部と前記第４重畳部とにまたがって設けられるスペーサをさらに含み、
前記スペーサは、前記第３重畳部に重畳する面積と、前記第４重畳部に重畳する面積とが互いに異なることを特徴とする請求項１１に記載の表示パネル。
【請求項１６】
前記第１方向に沿って前記遮光層上に配置され、前記第１エッジに接続される第２エッジに最も近い第３の色ブロックをさらに含み、
前記遮光層は、前記第１方向に沿って前記第１エッジから離れた第３開口をさらに有し、
前記第２エッジは、前記第１方向に実質的に垂直な第２方向において、前記第１開口に対応する前記第３の色ブロックの一部との間に第３最短距離を有し、前記第３開口に対応する前記第３の色ブロックの一部との間に第４最短距離を有し、
前記第３最短距離と前記第４最短距離とが互いに異なることを特徴とする請求項１１に記載の表示パネル。
【請求項１７】
前記第１重畳部と前記第２重畳部が凹部を形成するように互いに接続され、
前記第１方向に沿って前記凹部と前記第１エッジとの間に第１最長距離を有し、
前記第１の色ブロック又は前記第２の色ブロックと、前記第１エッジとの間に第５最短距離を有し、
前記第１最長距離と前記第５最短距離との差と、前記第１開口の長さとの比が、０．０５〜０．５であることを特徴とする請求項１１に記載の表示パネル。
【考案の詳細な説明】
【技術分野】
【０００１】
本考案は、表示パネルに関し、特に、高信頼性を有する表示パネルに関するものである。
【背景技術】
【０００２】
技術が進むに伴い、フラット表示パネルは、様々な分野に幅広く使用されるようになっている。特に、軽薄性，低消費電力性，非放射性などの優れた特性を有するため、従来の陰極線管表示装置の代わりに、例えば、携帯電話、携帯型マルチメディア装置、ノートパソコン、液晶テレビ、及び液晶スクリーンなどの様々な電子製品に使われるようになっている。
【０００３】
例えば、液晶表示装置は、主として表示パネルとバックライトモジュールを含む。表示パネルは、主として薄膜トランジスタ基板（ＴＦＴ  ｓｕｂｓｔｒａｔｅ）と、カラーフィルタ基板（ＣＦ  ｓｕｂｓｔｒａｔｅ）と、両基板間に挟持される液晶層とを含む。表示パネルを作製する過程において、例えば、薄膜トランジスタ基板の四周にシール剤を塗布し、シール剤内に液晶を注入した後、真空環境下で薄膜トランジスタ基板及びカラーフィルタ基板は互いに対応するように封止し、その後、シール剤を固化させ、液晶表示パネルを得ることができる。
【考案の概要】
【考案が解決しようとする課題】
【０００４】
多くの企業が液晶表示装置市場に参入したため、当業界は競争が激化している。従って、さまざまな企業は、競争力を高めて市場シェアを向上させるために、製品の高表示品質及び高信頼性を追求し続けている。
【０００５】
本考案は、製品競争力を高められ、高表示品質及び高信頼性を有する表示パネルを提供することを目的とする。
【課題を解決するための手段】
【０００６】
上述した目的を達成するために、本考案の表示パネルは、第１基板と、第１基板上に配置される遮光層と、第１の色ブロックと、第１の色ブロックに隣設する第２の色ブロックと、第２基板と、第１基板と第２基板との間に挟持される表示媒体層と、を含む。遮光層は、第１基板の第１エッジに近い第１開口と、第１開口に隣設する第２開口とを有する。第１の色ブロック及び第２の色ブロックは、第１方向に沿って遮光層上に配置され、第１の色ブロックは、第１開口に埋め込まれ、遮光層の一部と重なり、遮光層上に第１エッジに最も近い第１重畳部を有し、第２の色ブロックは、第２開口に埋め込まれ、遮光層の一部と重なり、遮光層上に第１エッジに最も近い第２重畳部を有し、第１重畳部と第２重畳部の面積とが互いに異なる。
【０００７】
上述した目的を達成するために、本考案の表示パネルは、第１基板と、第１基板上に配置される遮光層と、第１の色ブロックと、第１の色ブロックに隣設する第２の色ブロックと、第３の色ブロックと、第２基板と、第１基板と第２基板との間に挟持される表示媒体層と、を含む。遮光層は、第１基板の第１エッジに最も近い第１開口と、第１開口に隣設する第２開口と、第１方向に沿って第１エッジから離れた第３開口とを有する。第１の色ブロック及び第２の色ブロックは、第１方向に沿って遮光層上に配置され、第１の色ブロックは、第１開口及び第３開口に埋め込まれ、遮光層の一部と重なり、第２の色ブロックは、第２開口に埋め込まれ、遮光層の一部と重なる。第３の色ブロックは、第１エッジに接続される第２エッジに最も近く配置され、第１方向に沿って遮光層上に配置され、第１方向に実質的に垂直な第２方向において、第１開口に対応する第３の色ブロックの一部と第２エッジとの間の最短距離と、第３開口に対応する第３の色ブロックの一部と第２エッジとの間の最短距離とが互いに異なる。
【０００８】
上述した目的を達成するために、本考案の表示パネルは、第１基板と、第１基板上に配置される遮光層と、第１の色ブロックと、第１の色ブロックに隣設する第２の色ブロックと、第２基板と、第１基板と第２基板との間に挟持される表示媒体層と、を含む。遮光層は、第１基板の第１エッジに近い第１開口と、第１開口に隣設する第２開口とを有する。第１の色ブロック及び第２の色ブロックは、第１方向に沿って遮光層上に配置され、第１の色ブロックは、第１開口に埋め込まれ、遮光層の一部と重なり、遮光層上に第１エッジに最も近い第１重畳部を有し、第２の色ブロックは、第２開口に埋め込まれ、遮光層の一部と重なり、遮光層上に第１エッジに最も近い第２重畳部を有し、第１重畳部と第１エッジとの間に第１最短距離を有し、第２重畳部と第１エッジとの間に第２最短距離を有し、第１最短距離と第２最短距離とが互いに異なる。
【０００９】
一実施例において、第１方向において、第１重畳部と第１エッジとの間に第１最短距離を有し、第２重畳部と第１エッジとの間に第２最短距離を有し、第１最短距離と第２最短距離とが互いに異なる。
【００１０】
一実施例において、第１の色ブロックと第２の色ブロックの色とが互いに異なる。
【００１１】
一実施例において、第１重畳部の厚さが第１開口に位置する第１の色ブロックの厚さより薄い。
【００１２】
一実施例において、第１重畳部と第１開口の面積の比が０．３〜１．２である。
【００１３】
一実施例において、遮光層は、第１方向に沿って第１エッジから離れた第３開口をさらに有し、第１の色ブロックは、第３開口に埋め込まれるように延び、第３開口の面積が第１開口の面積より大きい。
【００１４】
一実施例において、第１の色ブロックは遮光層と重なる第３重畳部をさらに有し、第２の色ブロックは遮光層と重なる第４重畳部をさらに有し、第１重畳部は第３重畳部と第１エッジとの間に位置し、第２重畳部は第４重畳部と第１エッジとの間に位置し、第３重畳部と第４重畳部とにまたがって設けられるスペーサをさらに含み、スペーサは、第３重畳部に重畳する面積と、第４重畳部に重畳する面積とが互いに異なる。
【００１５】
一実施例において、第１方向に沿って遮光層上に配置され、第１エッジに接続される第２エッジに最も近い第３の色ブロックをさらに含み、遮光層は、第１方向に沿って第１エッジから離れた第３開口をさらに有し、第２エッジは、第１方向に実質的に垂直な第２方向において、第１開口に対応する第３の色ブロックの一部との間に第３最短距離を有し、第３開口に対応する第３の色ブロックの一部との間に第４最短距離を有し、第３最短距離と第４最短距離とが互いに異なる。
【００１６】
第１重畳部と第２重畳部が凹部を形成するように互いに接続され、第１方向において凹部と第１エッジとの間に第１最長距離を有し、第１の色ブロック又は第２の色ブロックと、第１エッジとの間に第５最短距離を有し、第１最長距離と第５最短距離との差と、第１開口の長さとの比が、０．０５〜０．５である。
【００１７】
上述したように、本考案の表示パネルにおいて、第１の色ブロック及び第１の色ブロックに隣設する第２の色ブロックは、第１方向に沿って遮光層上に配置され、第１の色ブロックは、第１開口及び第３開口に埋め込まれるとともに遮光層の一部と重なり、第２の色ブロックは、第２開口に埋め込まれるとともに遮光層の一部と重なる。また、第１の色ブロックの遮光層上に第１エッジに最も近い第１重畳部の面積と、第２の色ブロックの遮光層上に第１エッジに最も近い第２重畳部の面積とが互いに異なる。又は、第１重畳部と第１エッジとの間の第１最短距離と、第２重畳部と第１エッジとの間の第２最短距離とが互いに異なる。又は、第２エッジに最も近い第３の色ブロックは第１方向に沿って遮光層上に配置され、第１方向に実質的に垂直な第２方向において、第１開口に対応する第３の色ブロックの一部と第２エッジとの間の最短距離と、第３開口に対応する第３の色ブロックの一部と第２エッジとの間の最短距離とが互いに異なる。このように、表示パネルのフィルタ層と色ブロックとの境界が同一平面状ではないため、異質性の高い境界を形成することができる。これにより、外気による水気又は異物がフィルタ層と色ブロックとの境界から進入することに起因する歩留まりの低下を防止することができるため、製品の信頼性及び競争力を向上させることができる。
【図面の簡単な説明】
【００１８】
【図１Ａ】本考案の一実施例に係る表示パネルの概略平面図である。
【図１Ｂ】図１ＡのＡ−Ａ線の概略断面図である。
【図１Ｃ】図１Ａに示す表示パネルの概略底面図である。
【図１Ｄ】図１ＣのＢ１−Ｂ１線の概略断面図である。
【図１Ｅ】図１ＣのＢ２−Ｂ２線の概略断面図である。
【図１Ｆ】図１Ｃに示す領域Ｃの概略拡大図である。
【図２】本考案の他の実施例に係る表示パネルの概略底面図である。
【図３】本考案の一実施例に係る表示装置を示す概略図である。
【考案を実施するための形態】
【００１９】
図面を参照しながら、以下に本考案の好ましい実施例を詳細に説明する。また、図面において、同一なものには、同一な符号を付して説明する。
【００２０】
図１Ａ〜図１Ｆを併せて参照する。図１Ａは、本考案の一実施例に係る表示パネル１の概略平面図である。図１Ｂは、図１ＡのＡ−Ａ線の概略断面図である。図１Ｃは、図１Ａに示す表示パネル１の概略底面図である。図１Ｄ及び図１Ｅは、それぞれ、図１ＣのＢ１−Ｂ１線及びＢ２−Ｂ２線の概略断面図である。図１Ｆは、図１Ｃに示す領域Ｃの概略拡大図である。
【００２１】
図１Ｂに示すように、表示パネル１は、第１基板１１と、第２基板１２と、表示媒体層１３とを含んでいる。また、表示パネル１は、遮光層１４と、フィルタ層と、保護層１８とをさらに含んでいる。ここで、図１Ａ、図１Ｃ、図１Ｄ及び図１Ｅには、第２基板１２、表示媒体層１３及び保護層１８が表示されていない。また、図には、第１方向Ｄ１、第２方向Ｄ２及び第３方向Ｄ３が示されている。第１方向Ｄ１、第２方向Ｄ２及び第３方向Ｄ３は、各一対が実質的に互いに直交するようになっている。第１方向Ｄ１は、データ線の延伸方向に対して実質的に平行であり、第２方向Ｄ２は、走査線の延伸方向に対して実質的に平行であり、第３方向Ｄ３は、それぞれ第１方向Ｄ１及び第２方向Ｄ２に対して実質的に垂直であってよい。
【００２２】
第１基板１１及び第２基板１２は、互いに対向して設けられ、表示媒体層１３が第１基板１１と第２基板１２との間に挟設されている。表示パネル１は、液晶表示パネル又は有機ＥＬ表示パネルであってよい。ここで、表示パネル１は液晶表示パネルを例とするため、表示媒体層１３が液晶層である。一方、表示パネル１は有機ＥＬ表示パネルである場合、表示媒体層１３が有機発光層である。また、第１基板１１は、有機発光層を外気からの水気又は異物による汚染を防止するための保護基板（Ｃｏｖｅｒ  ｐｌａｔｅ）であってよい。第１基板１１及び第２基板１２は、光透過性材料により作製され、その材料は、例えば、ガラス、石英、又はそれらの類似物、プラスチック、ゴム、ガラス繊維、又はその他の高分子材料であってよい。或いは、第１基板１１及び第２基板１２は、非透光性材料により作製されてもよい。例えば、金属-ガラス繊維複合板、金属-セラミック複合板、プリント基板、又はその他の材料で作られたものが挙げられる。本実施例において、第１基板１１及び第２基板１２は、光透過性を有するガラスを例とする。
【００２３】
遮光層１４は、第１基板１１上に配置されている。本実施例において、遮光層１４及びフィルタ層は、カラーフィルタアレイ内に含まれて第１基板１１上に配置されている。第１基板１１がカラーフィルタ基板となるように、その上にカラーフィルタアレイを配置してもよい。また、第２基板１２が薄膜トランジスタ基板となるように、薄膜トランジスタアレイ（図示せず）を第２基板１２上に配置してもよい。ただし、他の実施例において、第２基板１２がＢＯＡ（ＢＭ  ｏｎ  ａｒｒａｙ）基板又はＣＯＡ（ｃｏｌｏｒ  ｆｉｌｔｅｒ  ｏｎ  ａｒｒａｙ）基板となるように、その上に遮光層１４又はフィルタ層を配置してもよいが、これに限定されない。
【００２４】
遮光層１４は、光線が通過可能な領域（開口Ｏ以外の領域は全て遮光層１４である）である複数の開口Ｏを有している。遮光層１４は、ブラックマトリクスＢＭであり、例えば金属または樹脂などの非透光性材料で形成されてもよい。金属は、例えばクロム、酸化クロムまたは窒酸化クロム化合物が挙げられる。遮光層１４は、非透光性材料であるため、第１基板１１上には、非透光領域が形成されることができる。これにより、さらに、透光領域を定義されることができる。図１Ｃに示すように、これらの開口Ｏは、第１基板１１の第１エッジ１１１に近い第１開口Ｏ１と、第１開口Ｏ１に隣設する第２開口Ｏ２を含んでいる。本実施例において、遮光層１４のこれらの開口Ｏのうち第１開口Ｏ１及び第２開口Ｏ２はともに、第１基板１１の第１エッジ１１１に最も近く、互いに隣設する開口である。また、第１基板１１の第１エッジ１１１に最も近い開口Ｏではない他の開口に比べ、第１開口Ｏ１及び第２開口Ｏ２の大きさが比較的に小さい。
【００２５】
また、本実施例のフィルタ層は、例えば、３色の色ブロック（図には、赤色がＲ、緑色がＧ、青色がＢで示されている）が繰り返し配置されるものであってもよいが、これに限定されない。その材料は、例えば、顔料又は染料などの透光材料であってもよい。また、フィルタ層は、色が互いに異なる第１の色ブロック１５と、第１の色ブロック１５に隣設する第２の色ブロック１６とを含んでもよい。本実施例において、第１の色ブロック１５は赤色Ｒ、第２の色ブロック１６は緑色Ｇを例としたが、これに限定されない。第１の色ブロック１５及び第２の色ブロック１６は、第１方向Ｄ１に沿って遮光層１４の一部を覆うように配置されている。作製する過程において、第１基板１１上に複数の開口Ｏを有する遮光層１４を形成した後、第１方向Ｄ１に沿って遮光層１４上に第１の色ブロック１５及び第２の色ブロック１６をそれぞれ形成し、そして、第１の色ブロック１５が遮光層１４の一部と重なるように第１方向Ｄ１に沿って第１の色ブロック１５を第１開口Ｏ１に埋め込み、第２の色ブロック１６が遮光層１４の一部と重なるように第１方向Ｄ１に沿って第２の色ブロック１６を第２開口Ｏ２に埋め込む。
【００２６】
第１の色ブロック１５は、遮光層１４の一部と重なるため、遮光層１４上に第１エッジ１１１に最も近い第１重畳部１５１（第１重畳部１５１が第１開口Ｏ１に隣接し、第１開口Ｏ１は、第１エッジ１１１に最も近い側に第１エッジ１１１に平行な接線を有し、この接線は、第１重畳部１５１の仮想境界でもある）を有している。同様に、第２の色ブロック１６は、遮光層１４の一部と重なるため、遮光層１４上に第１エッジ１１１に最も近い第２重畳部１６１（第２重畳部１６１が第２開口Ｏ２に隣接し、第２開口Ｏ２は、第１エッジ１１１に最も近い側に第１エッジ１１１に平行な接線を有し、この接線は、第２重畳部１６１の仮想境界でもある）を有している。図１Ｆに示すように、第１重畳部１５１の面積と第２重畳部１６１の面積が異なっている。ここで、第１重畳部１５１の面積は、第２重畳部１６１の面積より小さいようになっている。
【００２７】
言い換えれば、本実施例において、同じ色ブロック（Ｒを例とする）を遮光層１４上に配置すると、複数の重畳部が形成され、第１エッジ１１１に最も近い重畳部を第１重畳部１５１とする。同様に、Ｒ色ブロックを遮光層１４上に配置すると、複数の重畳部が形成され、第１エッジ１１１に最も近い重畳部を第２重畳部１６１とする。ここで、第１重畳部１５１の面積と第２重畳部１６１の面積とが互いに異なるように形成することにより、異質性を有する境界を形成することができる。また、図１Ｄ及び図１Ｅに示すように、第１方向Ｄ１において、第１重畳部１５１と第１エッジ１１１との間に第１最短距離ｄ１を有し、第２重畳部１６１と第１エッジ１１１との間に第２最短距離ｄ２を有し、第１最短距離ｄ１と第２最短距離ｄ２が異なっている。ここで、第１最短距離ｄ１は、第２最短距離ｄ２より大きいようになっている。そのため、本実施例のフィルタ層において、隣り合う第１の色ブロック１５と第２の色ブロック１６の、第１基板１１の第１エッジ１１１に近い側辺が同一平面状ではないので、異質性の高い境界を形成することができる。これにより、外気による水気又は異物がフィルタ層と色ブロックとの境界から表示パネル１に進入することに起因する表示パネル１の歩留まりの低下を防止することができるため、製品の信頼性及び競争力を向上させることができる。
【００２８】
また、図１Ｄに示すように、第１重畳部１５１の厚さが第１開口Ｏ１に位置する第１の色ブロック１５の厚さより薄いになっている。一実施例において、第１重畳部１５１の厚さが例えば１．１μｍであり、第１開口Ｏ１に位置する（埋め込まれる）第１の色ブロック１５の厚さが例えば１．８μｍである。同様に、第２重畳部１６１の厚さも第２開口Ｏ２に位置する第２の色ブロック１６の厚さより薄いになっている。これにより、フィルタ層はより良い平坦性を有することができる。
【００２９】
また、同じ色ブロックについて、第１基板１１の第１エッジ１１１に最も近い重畳部の面積と第１開口Ｏ１の面積との比を、一定の値の範囲内とすることによって、色ブロックと遮光層１４との間の付着力（比値が高すぎると、異物を遮断可能な異質性のある境界を形成することができない。一方、比値が低すぎると、信頼性が低くなる）を向上させることができる。そのため、本実施例において、第１重畳部１５１と第１開口Ｏ１の面積の比を０．３〜１．２に限定する。ここで、第１開口Ｏ１の面積は、第１開口Ｏ１内に埋め込まれる第１の色ブロック１５の面積である。
【００３０】
図１Ｃを再び参照する。遮光層１４のこれらの開口Ｏは、第１方向Ｄ１に沿って第１エッジ１１１から離れた第３開口Ｏ３をさらに含んでいる。そして、第１の色ブロック１５は、第３開口Ｏ３に埋め込まれるように延びており、第３開口Ｏ３の面積が第１開口Ｏ１の面積より大きいようになっている。ここで、第３開口Ｏ３の面積が第１開口Ｏ１の面積より大きいことは、第３開口Ｏ３内に埋め込まれる第１の色ブロック１５の投影面積が、第１開口Ｏ１内に埋め込まれる第１の色ブロック１５の投影面積より大きいことである。同図に示すように、第３開口Ｏ３及び第１開口Ｏ１は、互いに隣設する開口である。ただし、第３開口Ｏ３は、第１開口Ｏ１に隣設せずに第１方向Ｄ１に沿って配置されてもよい。本考案は、これに限定されない。
【００３１】
本実施例において、第１の色ブロック１５は、遮光層１４と重なる第３重畳部１５２をさらに有し、第２の色ブロック１６は、遮光層１４と重なる第４重畳部１６２をさらに有している。第１重畳部１５１は、第３重畳部１５２と第１エッジ１１１との間に位置し、第２重畳部１６１は、第４重畳部１６２と第１エッジ１１１との間に位置している。そして、スペーサ（ｓｐａｃｅｒ）Ｓは、第３重畳部１５２と第４重畳部１６２上とにまたがって設けられてもよい。スペーサＳの材料としては、樹脂類、ケイ酸塩類、又はガラス繊維類などの感光性フォトレジスト材料であってよいが、これに限定されない。スペーサＳによって第１基板１１と第２基板１２との間の間隔を保持し、液晶分子が収容空間内に充填されることができる。本実施例において、スペーサＳは、第３重畳部１５２に重畳する面積と、第４重畳部１６２に重畳する面積とが互いに異なっている。ここで、スペーサＳの第３重畳部１５２と重畳する面積は、スペーサＳの第４重畳部１６２と重畳する面積より大きいようになっている。なお、図１Ｃには、１つのスペーサのみが示されているが、実際に、表示パネル１は、複数のスペーサＳを有してもよい。
【００３２】
また、第１基板１１は、第１エッジ１１１に接続される第２エッジ１１２をさらに有している。フィルタ層は、第２エッジ１１２に最も近い第３の色ブロック１７をさらに含んでいる。「最も近い」ことは、第３の色ブロック１７と第２エッジ１１２との間に他の色ブロックが存在しないことである。また、第３の色ブロック１７の色は、第１の色ブロック１５又は第２の色ブロック１６の色と同じ又は異なっていてもよい。第３の色ブロック１７は、第１方向Ｄ１に沿って遮光層１４上に配置されている。第２エッジ１１２に最も近い第３の色ブロック１７が配置されているが、第３の色ブロック１７は、開口Ｏのいずれにも埋め込まれていないため、第１基板１１を上面から見たとき、第３の色ブロック１７が見えない。しかし、図１Ｃに示すように、第１基板１１を下面から見たとき、第３の色ブロック１７が見える。そして、第２方向Ｄ２において、第１開口Ｏ１に対応する第３の色ブロック１７の一部と第２エッジ１１２との間に第３最短距離ｄ３を有し、第３開口Ｏ３に対応する第３の色ブロック１７の一部と第２エッジ１１２との間に第４最短距離ｄ４を有し、第３最短距離ｄ３と第４最短距離ｄ４とが互いに異なっている。そのため、同様に、第２エッジ１１２に最も近い第３の色ブロック１７の側辺が同一平面状ではないので、第３の色ブロック１７の側辺に異質性の高い境界を形成することができる。これにより、外気による水気又は異物が第３の色ブロック１７の側辺から表示パネル１に進入することを防止しやすくなるため、製品の信頼性を向上させることができる。
【００３３】
次に、図１Ｂを再び参照する。保護層１８（例えば、オーバーコーティング）は、遮光層１４及びフィルタ層を覆うことができる。保護層１８の材料は、遮光層１４及びフィルタ層が後続工程の影響により損傷しないように、保護するためのフォトレジスト材料、樹脂材料又は無機材料（例えば、ＳｉＯｘ／ＳｉＮｘ）等であってもよい。また、表示パネル１は、シール剤（図示せず）をさらに含んでもよい。シール剤は、第１基板１１と第２基板１２との間に配置され、第１基板１１と第２基板１２との間の外周を封止するために用いられる。シール剤が表示パネル１の外周の遮光層１４に対応して配置されているため、上から表示パネル１を見たとき、シール剤は遮光層１４により遮蔽されることができる。シール剤は、光硬化性接着剤（例えば、ＵＶ接着剤）であってもよいが、これに限定されない。大気圧下で塗布方式により、シール剤が第１基板１１及び第２基板１２の外周に周設されている。また、表示媒体層１３は、シール剤と第１基板１１及び第２基板１２とによって形成された収容空間（図示せず）に配置されてもよい。例えば、ここで、液晶滴下注入（Ｏｎｅ  Ｄｒｏｐ  Ｆｉｌｌｉｎｇ，ＯＤＦ）法により、液晶分子をシール剤に囲まれて形成された収容空間に注入するが、これに限定されない。
【００３４】
また、表示パネル１は、複数の走査線及び複数のデータ線（図示せず）をさらに含んでもよい。複数の走査線と複数のデータ線とが互いに交差することによって、複数の画素を画定することができる。このように、表示パネル１における複数の走査線が走査信号を受信すると、各走査線に対応する薄膜トランジスタをそれぞれ導通させるとともに、各行の画素に対応するデータ信号を、複数のデータ線を介して対応する複数の画素電極に送信することで、表示パネル１での画面表示が可能となる。
【００３５】
図２は、本考案の他の実施例に係る表示パネル１ａの概略底面図である。ここで、図２に示す表示パネル１ａには、フィルタ層の第１の色ブロック１５ａ及び第２の色ブロック１６ａのみが示されているが、他の色ブロック、第２基板１２、表示媒体層１３及び保護層１８が示されていない。
【００３６】
表示パネル１ａは、表示パネル１と同じ構成及び特徴を有しているが、図１Ｃにおける表示パネル１との主な相違点は、第３方向Ｄ３において、第１の色ブロック１５ａの第１重畳部１５１と、第２の色ブロック１６ａの第２重畳部１６１とが互いに接続されることにより、凹部Ｕ（つまり、第３方向Ｄ３に沿って第１重畳部１５１と第２重畳部１６１との間には間隙を有する）を形成するところである。第１方向Ｄ１において凹部Ｕと第１エッジ１１１との間に第１最長距離ｄ５を有し、第１の色ブロック１５ａ又は第２の色ブロック１６ａと、第１エッジ１１１との間に第５最短距離ｄ６を有している。ここで、第２の色ブロック１６ａと、第１エッジ１１１との間に第５最短距離ｄ６を有する場合が示されている。また、第１最長距離ｄ５と第５最短距離ｄ６との差と、第１開口Ｏ１の長さとの比が、０．０５〜０．５である。この場合、「第１開口Ｏ１の長さ」とは、第１開口Ｏ１の第１方向Ｄ１における最大長さである。第１重畳部１５１及び第２重畳部１６１によって形成された凹部Ｕ（すなわち、両者間の間隙）により、フィルタ層のエッジに異質性の高い境界を形成することができる。そして、シール剤をフィルタ層のエッジに配置することにより、シール剤とフィルタ層との接触面積を増大することができるため、シール剤とフィルタ層との粘着力を向上することができる。
【００３７】
なお、表示パネル１ａの他の構成について、表示パネル１と同じ構成を参照することができるため、説明を省略する。
【００３８】
図３は、本考案の一実施例に係る表示装置２を示す概略図である。
【００３９】
表示装置２は、表示パネル３及びバックライトモジュール４（Ｂａｃｋｌｉｇｈｔ  Ｍｏｄｕｌｅ）を含んでおり、表示パネル３及びバックライトモジュール４は、互いに対向して配置されている。本実施例において、表示装置２は、液晶表示装置であり、表示パネル３は、上述した表示パネル１又は表示パネル１ａ、或いはその変化態様であってもよい。具体的な技術内容について上述した説明を参照し、ここで説明を省略する。バックライトモジュール４からの光線Ｅが表示パネル３を通過し、表示パネル３における各画素セルにより色を表示することによって、画像を形成することができる。
【００４０】
上述したように、本考案の表示パネルにおいて、第１の色ブロック及び第１の色ブロックに隣設する第２の色ブロックは、第１方向に沿って遮光層上に配置され、第１の色ブロックは、第１開口及び第３開口に埋め込まれるとともに遮光層の一部と重なり、第２の色ブロックは、第２開口に埋め込まれるとともに遮光層の一部と重なる。また、第１の色ブロックの遮光層上に第１エッジに最も近い第１重畳部の面積と、第２の色ブロックの遮光層上に第１エッジに最も近い第２重畳部の面積とが互いに異なる。又は、第１重畳部と第１エッジとの間の第１最短距離と、第２重畳部と第１エッジとの間の第２最短距離とが互いに異なる。又は、第２エッジに最も近い第３の色ブロックは第１方向に沿って遮光層上に配置され、第１方向に実質的に垂直な第２方向において、第１開口に対応する第３の色ブロックの一部と第２エッジとの間の最短距離と、第３開口に対応する第３の色ブロックの一部と第２エッジとの間の最短距離とが互いに異なる。このように、表示パネルのフィルタ層と色ブロックとの境界が同一平面状ではないため、異質性の高い境界を形成することができる。これにより、外気による水気又は異物がフィルタ層と色ブロックとの境界から進入することに起因する歩留まりの低下を防止することができるため、製品の信頼性及び競争力を向上させることができる。
【００４１】
以上は本考案の好ましい具体的な実施例であるが、本考案の特許請求の範囲を限定するものではなく、本考案の内容を利用して変更した等価なものはいずれも本考案の範囲内に含まれる。
【符号の説明】
【００４２】
１、１ａ、３：表示パネル
１１：第１基板
１１１：第１エッジ
１１２：第２エッジ
１２：第２基板
１３：表示媒体層
１４：遮光層
１５、１５ａ：第１の色ブロック
１５１：第１重畳部
１５２：第３重畳部
１６、１６ａ：第２の色ブロック
１６１：第２重畳部
１６２：第４重畳部
１７：第３の色ブロック
１８：保護層
２：表示装置
４：バックライトモジュール
Ｂ：青色
Ｃ：領域
ｄ１：第１最短距離
ｄ２：第２最短距離
ｄ３：第３最短距離
ｄ４：第４最短距離
ｄ５：第１最長距離
ｄ６：第５最長距離
Ｄ１：第１方向
Ｄ２：第２方向
Ｄ３：第３方向
Ｅ：光線
Ｇ：緑色
Ｏ：開口
Ｏ１：第１開口
Ｏ２：第２開口
Ｏ３：第３開口
Ｒ：赤色
Ｓ：スペーサ
Ｕ：凹部
【図１Ａ】
0003200298.tif 000003
【図１Ｂ】
0003200298.tif 000004
【図１Ｃ】
0003200298.tif 000005
【図１Ｄ】
0003200298.tif 000006
【図１Ｅ】
0003200298.tif 000007
【図１Ｆ】
0003200298.tif 000008
【図２】
0003200298.tif 000009
【図３】
0003200298.tif 000010